(57)【要約】      （修正有）【課題】比較的簡単な構造で強度の高い木造耐震シェルターを提供する。また、この高強度の木造耐震シェルターを内部に備えることで地震の被害から人を守ることができる建物を提供する。【解決手段】複数本の木製柱２１で構成した立方体骨格２と、この立方体骨格２の天井枠に取り付けた天井部３と、立方体骨格２の床枠に取り付けた床部４と、立方体骨格２の四箇所の壁面枠にそれぞれ取り付けた四面の壁面部５Ｆ，５Ｒ，５Ｌとを備え、天井部３、床部４、及び少なくとも一面の前記壁面部は、複数枚の長尺な木製厚板３１，４１，５１を短手方向に隙間無く並べた状態で各枠に取り付けたものである木造耐震シェルター１とした。【選択図】図１
0003164037.tif 000002
【実用新案登録請求の範囲】
【請求項１】
複数本の木製柱で構成した立方体骨格と、
この立方体骨格の天井枠に取り付けた天井部と、
前記立方体骨格の床枠に取り付けた床部と、
前記立方体骨格の四箇所の壁面枠にそれぞれ取り付けた四面の壁面部と、を備え、
前記天井部、前記床部、及び少なくとも一面の前記壁面部は、
複数枚の長尺な木製厚板を短手方向に隙間無く並べた状態で各枠に取り付けたものである、
木造耐震シェルター。
【請求項２】
建物の内部に設置される屋内用として用いられる、
請求項１記載の木造耐震シェルター。
【請求項３】
立方体骨格の天井枠の上側に重ねて取り付けた天井補強枠と、
この天井補強枠に取り付けた天井補強部と、を備え、
前記天井補強部は、
複数枚の長尺な木製補強厚板を短手方向に並べた状態で前記天井補強枠に取り付けたものであり、
前記長尺な木製補強厚板の短手方向の長さは、
天井部を構成する長尺な木製厚板の短手方向の長さとは異なる、
請求項１又は２記載の木造耐震シェルター。
【請求項４】
下面側に載置面方向を向いたキャスターを備えている、
請求項１〜３何れか記載の木造耐震シェルター。
【請求項５】
天井側に着脱自在の屋根部を備えた、
請求項１記載の木造耐震シェルター。
【請求項６】
請求項１〜４何れか記載の木造耐震シェルターを内部に設置した建物であって、
木造耐震シェルターの上面と建物の天井面との距離が概ね１ｍ以下になるように構成した、
木造耐震シェルターを内部に設置した建物。
【考案の詳細な説明】
【技術分野】
【０００１】
本考案は、木造耐震シェルター、および木造耐震シェルターを内部に設置した建物に関する。詳しくは、屋外や屋内で使用される高強度の木造耐震シェルター、およびこの木造耐震シェルターを内部に設置した建物に関する。
【背景技術】
【０００２】
近年、木材の持つ暖かみや調湿機能等が注目され、木造建築が見直されている。最近では、住宅としての用途の他、趣味やレジャーの為の部屋といった用途にも木造建築は使用されている。このような木造建築に用いられる木材には、軽い割に高強度であるという特徴があるものの、木造建築自体を更に強度アップして欲しいという要求は根強いものがある。
【０００３】
一方、世界有数の地震国である我が国日本では、いつ何処で震災に見舞われてもおかしくない。広い範囲に大きな被害を及ぼした阪神大震災では、死者の８０％相当、約５，０００人が、建物の倒壊により下敷きになって死亡したとの報告がある。逃げ遅れた年配の方の被害が大きかったことは想像に難くない。
【０００４】
このような課題を解決するため、筋交いや金属部材を多用した軸組構造などにより建物全体を補強することが行われていた。
【０００５】
例えば特許文献１には、「上下に離れた水平な上、下梁と、これら上、下梁に直交した状態で連結された上下方向に延びる複数本の柱と、を備えた家屋骨組みにおいて、上、下梁の中間位置にこれら上、下梁に平行に延び両端が隣接する２本の柱にそれぞれ連結された受け梁を設け、かつ、下端が受け梁の一端部に上端が受け梁の他端部の直上に位置する上梁に連結された傾斜している上筋交いを設けるとともに、上端が受け梁の一端部に下端が受け梁の他端部の直下に位置する下梁に連結された傾斜している下筋交いを設け、これにより、家屋骨組みを補強するようにしたことを特徴とする家屋骨組みの補強構造。」が記載されており、これによって「家屋の骨組みを構成する筋交いの補強効果を確実に発揮させることができる。」とある。
【先行技術文献】
【特許文献】
【０００６】
【特許文献１】特開平０７−３２４４０２号公報
【考案の概要】
【考案が解決しようとする課題】
【０００７】
しかし、上記特許文献１に記載された補強構造などは、主に新築時に施工するものであり、既にある建物を補強するのには適していなかった。また、多くの筋交いが必要であり複雑な構造となりがちであった。
【０００８】
また、通常は趣味やレジャーの為の部屋として庭などに設置されるものの、一旦震災が発生した場合には、待避空間として活用できる高強度の木造耐震シェルターが望まれていた。
【０００９】
さらに、震災時等において、お年寄りや寝たきりの病人などは避難が難しく、身近な場所、できれば室内に安全な待避空間（耐震シェルター）があれば、どれほど安心か知れない。
【００１０】
本考案は、上述の事柄に留意してなされたものであって、比較的簡単な構造で強度の高い木造耐震シェルターを提供することを目的とする。また、この高強度の木造耐震シェルターを内部に備えることで地震の被害から人を守ることができる建物を提供することを目的とする。
【課題を解決するための手段】
【００１１】
上記課題を解決するために、本発明の木造耐震シェルターは、複数本の木製柱で構成した立方体骨格と、この立方体骨格の天井枠に取り付けた天井部と、前記立方体骨格の床枠に取り付けた床部と、前記立方体骨格の四箇所の壁面枠にそれぞれ取り付けた四面の壁面部と、を備え、前記天井部、前記床部、及び少なくとも一面の前記壁面部は、複数枚の長尺な木製厚板を短手方向にほぼ隙間無く並べた状態で各枠に取り付けたものである、木造耐震シェルターとした。この木造耐震シェルターは、庭などの屋外に設置したり、建物の内部（屋内）に設置したりすることができる。
【００１２】
この木造耐震シェルターは立方体骨格に、天井部、床部、および四面の壁面部が取り付けてあり、筋交いなどが不要のため比較的簡単な構造の木造耐震シェルターとなる。
また、天井部、床部、及び少なくとも一つの壁面部が、複数枚の長尺な木製厚板を短手方向に隙間無く並べた状態で各枠に取り付けたものであるため、立方体骨格を木製厚板でしっかりと補強した構造となり、比較的簡単な構造でありながらも強度の高い木造耐震シェルターとなる。
【００１３】
上記木造耐震シェルターは、建物の内部に設置される屋内用とすることができる。
【００１４】
この木造耐震シェルターによって、建物の内部の身近な場所に高強度の待避空間（木造耐震シェルターによる）ができ、地震の被害から人を守ることができる。特に、お年寄りや寝たきりの病人のいる家庭には最適な木造耐震シェルターである。
【００１５】
立方体骨格の天井枠の上側に重ねて取り付けた天井補強枠と、この天井補強枠に取り付けた天井補強部と、を備え、前記天井補強部は、複数枚の長尺な木製補強厚板を短手方向に並べた状態で前記天井補強枠に取り付けたものであり、前記長尺な木製補強厚板の短手方向の長さは、天井部を構成する長尺な木製厚板の短手方向の長さとは異なる、木造耐震シェルターとすることもできる。
【００１６】
この木造耐震シェルターによって、二重構造により天井部を補強でき、より強度の高い木造耐震シェルターとなる。また、長尺な木製補強厚板の短手方向の長さは、天井部を構成する長尺な木製厚板の短手方向の長さとは異なるため、衝撃に強く、より一層強度の高い木造耐震シェルターとなる。特に、建物内に設置される木造耐震シェルターとして用いる場合、震災による建物倒壊時においても、天井部が補強されていることによって、より壊れにくい木造耐震シェルターとなる。
【００１７】
下面側（床下）に載置面方向を向いたキャスターを備えている木造耐震シェルターとすることもできる。
【００１８】
この木造耐震シェルターは、移動させやすくなるため、趣味やレジャーの用途として用いる場合に、便利である。また、キャスターは免震装置としての機能を果たし、横揺れを緩和するため、より震災に強い木造耐震シェルターとなる。
【００１９】
天井側に着脱自在の屋根部を備えた木造耐震シェルターとすることもできる。
【００２０】
この木造耐震シェルターは、設置する場所の状況などに応じて屋根部を着脱することができ、便利であるとともに、屋根部の交換が容易となる。通常、庭などの屋外に設置する場合には、屋根部を取り付けることとなる。
【００２１】
高強度の木造耐震シェルターを内部に備えることで地震の被害から人を守ることができる建物を提供するためには、上記何れかの木造耐震シェルターを内部に設置した建物であって、木造耐震シェルターの上面と建物の天井面との距離が概ね１ｍ以下になるように構成した、木造耐震シェルターを内部に設置した建物とすることができる。木造耐震シェルターの上面と建物の天井面との距離が概ね０．５ｍ以下になるように構成することが、より好ましい。
【００２２】
この、木造耐震シェルターを内部に設置した建物は、木造耐震シェルターの上面と建物の天井面との距離が概ね１ｍ以下になるように構成したため、建物が崩れかけた場合であっても、比較的早い段階で木造耐震シェルターが崩れかかった建物を支えることができるため、木造耐震シェルターにかかる衝撃（エネルギー）が比較的小さくなって壊れにくくなる。
【考案の効果】
【００２３】
本考案により、比較的簡単な構造で強度の高い木造耐震シェルターを提供することができる。また、この高強度の木造耐震シェルターを内部に備えることで地震の被害から人を守ることができる建物を提供することができる。
【図面の簡単な説明】
【００２４】
【図１】第一実施形態の木造耐震シェルターの斜視図である。
【図２】立方体骨格の斜視図である。
【図３】第一実施形態の木造耐震シェルターの正面図である。
【図４】第一実施形態の木造耐震シェルターを内部に設置した建物を示す図である。
【図５】第二実施形態の木造耐震シェルターの一部分解斜視図である。
【図６】第三実施形態の木造耐震シェルターの一部分解斜視図である。
【考案を実施するための形態】
【００２５】
以下、図を用いて本考案の木造耐震シェルター、および木造耐震シェルターを内部に設置した建物を例示説明する。
【００２６】
本考案の木造耐震シェルターの基本構成は、立方体骨格２、天井部３、床部４、四面の壁面部(5F,5B,5R,5L)を備えており、前記天井部３、前記床部４、及び少なくとも一面の前記壁面部は、複数枚の長尺な木製厚板を短手方向に隙間無く並べた状態で各枠に取り付けたものである。
【００２７】
まず、図１〜図４を用いて、第一実施形態の木造耐震シェルターなどを説明する。なお、以下の実施形態はあくまで本考案を例示説明するものであって、本考案は、以下の具体的な実施形態に限定されるものではない。なお、図１等において、床部および右側壁面部は一部しか確認できず、また背面側壁面部は全体が隠れているが、床部は天井部と同様、右側壁面部および背面側壁面部は左側壁面部と同様の構成となっている。
【００２８】
［第一実施形態の木造耐震シェルター］
本実施形態の木造耐震シェルター１は、上記基本構成をベースに、（構成１）天井部３、床部４、および四面の壁面部のうち三面の壁面部（右側壁面部5R、左側壁面部5L、および背面側壁面部(5B図示されず)）が、複数枚の長尺な木製厚板31,41,51を短手方向に隙間無く並べた状態で立方体骨格２の各枠に取り付けた構成であり、また、（構成２）下面側に載置面Ｇ方向を向いたキャスターを備えている。以下、各構成要素について説明する。
【００２９】
１.立方体骨格
立方体骨格２は木造耐震シェルター１のベースとなり、複数本の木製柱21を組み上げて構成されている。具体的には、図２に示す様に、上下辺が各四本、側辺が四本の、合計十二本の木製柱21を用い、種々の連結手段を用いて立方体に組み上げたものである。立方体骨格２には、いわゆる中柱などを用いることなく、後述するような天井部３、床部４、及び壁面部(5R,5B,5L)の構成により、強度向上を図っている。本実施形態では、木製柱21として木製角柱を用いてある。
【００３０】
２．天井部、床部、及び四面の壁面部
上記立方体骨格２の天井枠には天井部３が、同じく立方体骨格２の床枠には床部４が、同じく立方体骨格２の四箇所の壁面枠（正面側壁面枠、背面側壁面枠、右側壁面枠、左側壁面枠）にはそれぞれ四面の壁面部（正面側壁面部5F、背面側壁面部5B、右側壁面部5R、左側壁面部5L）が、それぞれ形成されている。
【００３１】
そのうち、天井部３、床部４、背面側壁面部5B、右側壁面部5R、および左側壁面部5Lは、複数枚（本実施形態では各５枚）の略同一形状の長尺な木製厚板(31,41,51)を短手方向に隙間無く並べた状態で、天井枠、床枠、背面側壁面枠、右側壁面枠、および左側壁面枠にそれぞれ取り付けられている。また、長尺な木製厚板(31,41,51)は、各枠（天井枠、床枠、背面側壁面枠、右側壁面枠、および左側壁面枠）の対向辺に架設されるように取り付けられている。ここで、正面側壁面部5Fには、出入り口が設けられているため、これら（天井部３、床部４、背面側壁面部5B、右側壁面部5R、および左側壁面部5L）の構造とは異なっており、「複数枚の長尺な木製厚板を短手方向に隙間無く並べた状態で各枠に取り付けたもの」にはなっていない。なお、背面側壁面部5B、右側壁面部5R、又は左側壁面部5Lに窓枠を形成してもよいが、窓枠が形成された壁面部については、「複数枚の長尺な木製厚板を短手方向に隙間無く並べた状態で各枠に取り付けたもの」にはならない。
【００３２】
長尺な木製厚板(31,41,51)の取り付け方法としては、各枠に強固に取り付けられるのであれば特に制限されない。例えば、各枠の内側に相当する木製柱21の部分に、長尺な木製厚板(31,41,51)の縁部を嵌め込むための嵌合溝をそれぞれ設けて、立方体骨格２の組み付けと並行して、長尺な木製厚板(31,41,51)を嵌合溝に嵌め込めばよい。
【００３３】
また、長尺な木製厚板(31,41,51)の厚みは３ｃｍ以上であることが強度の面から好ましく、５ｃｍ以上であることがより好ましい。厚みの上限については特に制限されないが、材料コストや重量を考慮すると、通常は３０ｃｍ以下である。また、長尺な木製厚板(31,41,51)は無垢材を用いることが強度の面から好ましい。
【００３４】
３.キャスター
免震装置としてのキャスター８は、図３及び図４に示す様に、載置面Ｇの方向を向いた状態になるように木造耐震シェルター１の下面側（床下）に取り付けられている。本実施形態では、木造耐震シェルター１の下面側の四隅にキャスター８をそれぞれ取り付けてある。（図３及び図４では、四隅に取り付けられたキャスター８のうち、手前側の二個のみ確認できる。）
【００３５】
上記木造耐震シェルター１を内部に設置した建物Ｈについて、図４に例示する。本例では、木造耐震シェルター１が入る程度の大きさより若干大きめに建物の床Ｆをくり抜き、そこから現れる地面にコンクリートを打設（土間打ち）して載置面Ｇとし、その上にキャスター８付きの木造耐震シェルター１を載置してある。そして、木造耐震シェルター１の上面と建物Ｈの天井面との距離Ｌが概ね１ｍ以下になるように、木造耐震シェルター１の高さなどを設計してある。
【００３６】
また、この木造耐震シェルター１は、庭などの屋外に設置することもできる。この場合には、通常時は、趣味やレジャーの為の部屋といった用途に用いることができる。
【００３７】
［第二実施形態の木造耐震シェルター］
次に、図５を用いて第二実施形態の木造耐震シェルター１を例示説明する。先述した第一実施形態と同様の構成要素については同一の符号を付し、原則としてその説明を省略する。
【００３８】
本第二実施形態の木造耐震シェルター１は、先述した第一実施形態の各構成要素に加えて、天井補強枠６と天井補強部７を備えている。以下、各構成要素について説明する。
【００３９】
１．天井補強枠
天井補強枠６は、立方体骨格２の天井枠の上側に重ねて取り付けられる。具体的には、天井補強枠６は四本の木製補強柱61を矩形状に組み上げて構成されており、立方体骨格２の矩形状上辺を構成する四本の木製柱21の上（立方体骨格２の上）に重ねて取り付けられる。このとき、天井補強枠６が外れにくいように立方体骨格２の上に取り付けることが好ましい。天井補強枠６を立方体骨格２の上に固着してもよい。また、天井補強枠６の形状および大きさは、立方体骨格２の矩形状上辺の形状および大きさと概ね等しいことが好ましい。
【００４０】
２．天井補強部
天井補強部７は、前記天井補強枠６に取り付けられた複数枚の長尺な木製補強厚板71によって構成されている。具体的には、複数枚（本実施形態では十枚）の長尺な木製補強厚板71を短手方向に並べた状態で天井補強枠６に取り付けてある。また、長尺な木製補強厚板71の短手方向の長さは、天井部３を構成する長尺な木製厚板31の短手方向の長さよりも短くなっている。さらに、長尺な木製補強厚板71は、天井部３を構成する長尺な木製厚板31の方向と直交するように並べてある。これによって、天井部３の強度をより一層補強することができ、より一層壊れにくい木造耐震シェルター１となる。天井補強部７を構成する長尺な木製補強厚板71は、天井部３を構成する長尺な木製厚板31と接触又は近接することになるが、耐衝撃性の面からは両者を接着等で固着しないことが好ましい。
【００４１】
上記第二実施形態の木造耐震シェルター１は、第一実施形態のものと同様、建物Ｈの内部に設置することができる。また、庭などの屋外に設置することもできる。
【００４２】
［第三実施形態の木造耐震シェルター］
次に、図６を用いて第三実施形態の木造耐震シェルター１を例示説明する。先述した第一実施形態と同様の構成要素については同一の符号を付し、原則としてその説明を省略する。
【００４３】
本第三実施形態の木造耐震シェルター１は、先述した第一実施形態の各構成要素に加えて、着脱自在の屋根部９を備えている。
【００４４】
本第三実施形態では、木造耐震シェルター１本体と屋根部９を着脱自在に連結するための連結部91を本体側に設け、この連結部91に屋根部９の下縁を係合させてある。また、切妻型の屋根部９としてある。通常、庭などの屋外に設置する場合には屋根部９を取り付けることとなる。なお、第一実施形態のものと同様、木造耐震シェルター１を建物Ｈの内部に設置してよいが、この場合には、屋根部９を取り外すことが好ましい。
【００４５】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００４６】
例えば、木造耐震シェルターの内部には、ポータブルトイレ、緊急避難セット、鋸、バールなどの備品が設置されたものとしてもよい。シェルターであるものの、通常時から内部で生活してもよい。ベッドを持ち込んで、睡眠場所として利用することもできる。
【００４７】
また、第一実施形態の説明において、キャスター付きの木造耐震シェルターを建物内部に設置したが、これに限定されず、キャスター無しのものを設置してもよい。しかし、免震性を考慮するとキャスター付きの木造耐震シェルターを建物内部に設置することが好ましい。
【００４８】
また、木造耐震シェルターの材料としては強度のある木材であれば特に限定されないが、間伐材を使用することで安価に提供できるとともに、地球環境に優しい木造耐震シェルターとなる。
【００４９】
また、第一実施形態の木造耐震シェルターにおいて、長尺な木製補強厚板を、長尺な木製厚板（天井部を構成する）の方向と直行するように並べたが、これに限定されない。長尺な木製補強厚板を、長尺な木製厚板（天井部を構成する）の方向と並行になるように並べてもよい。
【符号の説明】
【００５０】
１    木造耐震シェルター
２    立方体骨格
21    木製柱
３    天井部
31  長尺な木製厚板
４    床部
41  長尺な木製厚板
５  （壁面部）
5F  正面側壁面部
5B  背面側壁面部
5R  右側壁面部
5L  左側壁面部
51  長尺な木製厚板
６  天井補強枠
61  木製補強柱
７  天井補強部
71  長尺な木製補強厚板
８  キャスター
９  屋根部
91  連結部
Ｈ  建物
Ｆ  建物の床
Ｇ  載置面
【図１】
0003164037.tif 000003
【図２】
0003164037.tif 000004
【図３】
0003164037.tif 000005
【図４】
0003164037.tif 000006
【図５】
0003164037.tif 000007
【図６】
0003164037.tif 000008